(57)【特許請求の範囲】
【請求項１】
対象物を保管するための冷蔵庫の保管空間と、
前記保管空間を開閉し、裏面にドアバスケットが設置されるドアと、
前記保管空間に冷気を供給する冷気供給手段と、
前記保管空間に供給された冷気がその内部を循環した後、保管空間の一側を経て帰還するようにするための帰還経路と、
前記保管空間の冷気を前記ドアを経由して帰還経路に案内する冷気案内経路と、を含んで構成され、
前記冷気案内経路は前記保管空間の上部と連通される入口と、前記保管空間の下部に連通される出口を有し、前記出口が前記ドアバスケットを貫通するように連結ダクトと連通されるように構成されることを特徴とする冷蔵庫の冷気循環構造。
【請求項２】
前記保管空間は冷凍室であり、前記冷気案内経路は冷凍室ドアの内部に形成されたドアダクトで構成されることを特徴とする請求項１記載の冷蔵庫の冷気循環構造。
【請求項３】
前記冷気案内経路はドアの裏面に付着された付着型ドアダクトで構成されることを特徴とする請求項１記載の冷蔵庫の冷気循環構造。
【請求項４】
前記ドアダクトは、冷凍室ドアの上部の入口と、前記入口に連通する冷凍室ドアの下部の出口とを備えることを特徴とする請求項２記載の冷蔵庫の冷気循環構造。
【請求項５】
前記ドアダクトの入口は、その入口を介して流入される冷気が冷凍室ドアの裏面に設置された上部ドアバスケットを経由するように位置することを特徴とする請求項４記載の冷蔵庫の冷気循環構造。
【請求項６】
前記ドアダクトの出口は帰還経路の入口に対応する位置に形成されることを特徴とする請求項４記載の冷蔵庫の冷気循環構造。
【請求項７】
前記冷気案内経路の出口は冷凍室ドアの裏面に設けられたドアバスケットの下部を介して帰還経路に連結されるように構成されることを特徴とする請求項６記載の冷蔵庫の冷気循環構造。
【請求項８】
前記ドアダクトの出口は両側に分割された一対で構成され、帰還ダクトは前記分割された一対の出口に対応する一対で構成されることを特徴とする請求項６記載の冷蔵庫の冷気循環構造。
【請求項９】
前記ドアダクトの中間部には冷凍室の内部に連通する複数の冷気通過孔が形成されたことを特徴とする請求項１乃至８のいずれか記載の冷蔵庫の冷気循環構造。
【請求項１０】
前記付着型ドアダクトの入口はドアの上端部に形成され、出口はドアの下端部に形成されることを特徴とする請求項３記載の冷蔵庫の冷気循環構造。
【請求項１１】
前記保管空間は冷蔵室であり、前記案内経路は冷蔵室のドアを経由して冷蔵室の上下方向への冷気流を形成することを特徴とする請求項１記載の冷蔵庫の冷気循環構造。
【請求項１２】
前記冷気案内経路は冷蔵室ドアの内部に形成され、上部又は下部で冷蔵室に連通するように形成される入口及び出口を備えるドアダクトで構成されることを特徴とする請求項１１記載の冷蔵庫の冷気循環構造。
【請求項１３】
前記ドアダクトの出口は帰還経路の入口に対応する位置に形成されることを特徴とする請求項１２記載の冷蔵庫の冷気循環構造。
【請求項１４】
前記ドアダクトの入口はドアダクトの下部に複数形成されることを特徴とする請求項１３記載の冷蔵庫の冷気循環構造。
【請求項１５】
前記ドアダクトの入口は、その入口を介して流入される冷気が冷蔵室ドアの裏面に設置される複数のドアバスケットを経由するようにする位置に形成されることを特徴とする請求項１４記載の冷蔵庫の冷気循環構造。
【発明の詳細な説明】
【０００１】
【発明の属する技術分野】
本発明は冷蔵庫の冷気循環構造に関するもので、より詳しくは冷蔵庫の内部を循環する冷気が冷蔵室及び冷凍室のドア側まで十分に循環するようにすることで、冷蔵室及び冷凍室の各部に均一に冷気を供給し得る冷気循環構造に関するものである。
【０００２】
【従来の技術】
先ず、図７を参照しながら冷蔵庫の一般的な構造と、この構造での冷気循環経路について説明する。
図７に示すように、冷蔵庫の内部は、バリヤ３０により、冷凍状態で食品を貯蔵する冷凍室１０と、冷蔵状態で食品を貯蔵するための冷蔵室２０とに区分される。冷蔵庫の外部ケーシング２と、冷蔵庫の内部を形成する内部ケーシング４ａ、４ｂとの間には断熱のための発泡断熱材が充填されているので、冷蔵庫の内外部間の熱交換を遮断するようになっている。
【０００３】
そして、冷凍室１０の後方には、蒸発器６と、前記蒸発器６で生成された冷気を冷凍室１０及び冷蔵室２０に送るための送風ファン８とが設けられている。冷凍室１０と冷蔵室２０を区分するバリヤ３０の内部には、冷凍室１０と冷蔵室２０の冷気を再び蒸発器６側に案内するための冷凍室帰還ダクト１９及び冷蔵室帰還ダクト２９が設けられている。
【０００４】
そして、前記冷凍室１０及び冷蔵室２０はそれぞれ冷凍室ドア１２及び冷蔵室ドア２２により開閉される。前記冷凍室１２及び冷蔵室ドア２２の内面には保管すべき食品を収納する多数のドアバスケット１４、２４が設けられ、冷凍室１０及び冷蔵室２０の内部には保管すべき食品が載せられる複数の棚１６、２６が設けられている。
【０００５】
次に、このような従来の構造による冷気の循環経路を説明する。蒸発器６との接触により生成された冷気は送風ファン８により冷凍室１０及び冷蔵室２０に供給される。冷凍室１０への冷気は冷凍室１０の後面を形成するグリルファン１８に形成された複数の冷気吐出孔１８ａを介して供給される。前記冷気吐出孔１８ａは冷凍室の棚１６の上部に形成された上部冷気吐出孔１８ａｂと、前記棚１６の下部に形成された下部冷気吐出孔１８ａｃとを含む。
【０００６】
前記冷気吐出孔１８ａを介して冷凍室１０に供給された冷気は冷凍室の内部を循環しつつ保管中の食品と熱交換を行いながら相対的に高温になる。このように高温になった冷気は冷凍室１０の底面、具体的には冷凍室１０のドア側底面に形成された冷凍室帰還ダクト１９を介して再び蒸発器６側に帰還する。このような冷凍室１０の内部の冷気の流れが矢印で示されている。
しかしながら、このように構成される冷気循環構造によると次のような欠点が指摘される。
【０００７】
前述したように、冷凍室１０の内部に供給される冷気はドア側の冷凍室底面に形成された冷凍室帰還ダクト１９を介して帰還される流れを形成している。このような冷気の流れにおいて、実質的に冷凍室ドア１２の裏面に設けられている冷凍室のドアバスケット１４を経由する冷気流は形成されていない。即ち、実質的にドアバスケット１４に当る部分は冷凍室ドア１２の開閉時に相対的に高温の外気に真っ先に露出される部分であるにもかかわらず、冷凍室のドアバスケット１４に当る部分にはなだらかなな冷気の流れが提供されていない欠点が指摘されるものである。
【０００８】
特に、冷凍室帰還ダクト１９の入口が冷凍室の底面のドア側に形成されているため、前記冷凍室帰還ダクト１９の入口に対向する部分、つまり冷凍室１０のドア側上部（図７ではこの部分が複数の点で表示されている）では冷気の流れがなだらかでない欠点が台頭している。
【０００９】
このように冷凍室の内部において、冷気の流れがなだらかでない部分が発生するとは実質的に冷凍室全体に均一に冷気が供給されないという事実を意味する。従って、全体的に均一な冷凍温度を有し得なく、保管中の食品はこのような温度偏差により損傷される憂いが高くなる。
【００１０】
このような欠点を解決するため、冷凍室１０のドアバスケット１４の底面１４ａに冷気が通過し得る冷気通過孔を形成する技術が公知されているが、このものによっても十分な効果を期待しにくい。即ち、たとえドアバスケット１４の底面に冷気が通過し得る冷気通過孔を形成しても、ドアバスケット１４に食品を保管すると別の効果を期待することが難しく、特に図で点で表示した冷凍室１０のドア側の上面に対する冷気供給も問題点を全く解決することができない。
【００１１】
次に冷蔵室２０の構造及び冷気流について簡単に調明する。
蒸発器６との熱交換により生成された冷気の他の一部はグリルファン１８とシュラウド９間の空間を通過し、冷蔵室２０の後方に備えられた冷蔵室ダクト２８に案内される。前記冷蔵室ダクト２８に案内された冷気はその全面に形成された複数の冷気吐出孔２８ａを介して冷蔵室２０に供給される。
【００１２】
冷蔵室２０の各棚２６に対応する位置に形成されている複数の冷気吐出孔２８ａを介して冷蔵室２０に供給された冷気は冷蔵室の内部を循環しつつ保管中の食品との熱交換により相対的に高温になる。このように高温になった冷気は冷蔵室２０のドア側上面に形成された冷蔵室帰還ダクト２９を介して再び蒸発器６側に案内される。
このような冷蔵室の冷気循環構造においても、前述したような冷凍室１０の冷気循環に類似する問題点が台頭する。
【００１３】
即ち、冷蔵室２０においても、ドアバスケット２４に当る部分では冷気流が円滑でないため、実質的にドアバスケット２４の部分は他の部分に比べて相対的に高温状態に維持される。冷蔵室２０は冷凍室１０に比べてドアの開閉が頻繁であり、このような頻繁なドアの開閉により高温の外気が易しく内部に浸透し、特にドアバスケット２４の部分はこのような高温の外気に易しく露出される部分である。
【００１４】
従って、実際にこのようなドアバスケット２４の部分にはより多い冷気が供給されることが好ましいが、前述したような従来の構造によると、却って冷気の循環がより制限されるため、このような冷気循環構造による設定温度の維持に問題が生じ、よって食品保管上の問題点として現れるものである。
【００１５】
【発明が解決しようとする課題】
従って、本発明の目的は冷蔵庫の内部全体的に冷気がなだらかに循環することにより、冷蔵室及び冷凍室が均一な温度分布を有し得る冷気循環構造を提供することである。
本発明の他の目的は、特にドアに隣接した冷凍室及び冷蔵室のドア側部分に効果的に冷気を供給し得る冷気循環構造を提供することである。
【００１６】
【課題を解決するための手段】
前記目的を達成するための本発明による冷気循環構造は、対象物を保管するための冷蔵庫の保管空間と、前記保管空間を開閉するドアと、前記保管空間に冷気を供給する冷気供給手段と、前記保管空間に供給された冷気がその内部を循環した後、保管空間の一側を経て帰還するようにするための帰還経路と、保管空間の冷気を前記ドアを経由して帰還経路に案内する冷気案内経路と、を含んで構成される。
【００１７】
このような構造によると、冷蔵庫の内部の冷凍室又は冷蔵室のような保管区間において、ドアに隣接した部分の冷気がドアを経由する流れ、つまりドアバスケットを介して流れる冷気流を形成し、よってドア側付近の冷気の流れをなだらかに形成することになる。
【００１８】
前記冷気案内経路は、冷凍室の場合は、上部に形成された入口と、前記入口に連通され下部に形成された出口とを備える。従って、冷凍室のドア側上部から下部への冷気の流れが形成されるので、特に冷凍室のドア側上部の冷気の流れをなだらかにする。
【００１９】
前記冷気案内経路の他の実施の形態によると、冷凍室ドアの裏面に付着された付着型ドアダクトで構成され、この実施の形態によると、従来の構造に多くの変更を加えなくともなだらかな冷気の流れを提供し得る利点が期待される。
【００２０】
そして、前記ドアダクトの入口は、その入口を介して流入される冷気が冷凍室ドアの裏面に設置された上部ドアバスケットを経由するような位置に形成されて、ドアバスケットの保管中の食品が十分に供給される冷気に露出されるようにする。
【００２１】
そして、冷蔵室の場合、冷気案内経路は冷蔵室ドアの内部に長手方向に設けられ、上端部に形成された出口と、その下部に形成された多数の入口を有するドアダクトとを備える。このようなドアダクトにより冷蔵室においてもドアバスケットを経由する別の冷気流を形成し得るので、ドア側部分に冷気をなだらかに供給し得る。
【００２２】
【発明の実施の形態】
図１は本発明による冷蔵庫の内部の全体的な冷気循環構造を示す断面図である。同図を参照しつつ先ず冷凍室の全体構造及び冷凍室の冷気循環構造について説明する。
冷凍室１００の内部には保管すべき食品を載せるための冷凍室棚１０９が水平方向に設けられている。
【００２３】
そして、冷凍室１００の後面を形成するグリルファン１０６には多数の冷気吐出孔が形成され、これら冷気吐出孔は前記棚１０９の上部に位置する上部冷気吐出孔１０６ａと、棚１０９の下部に位置する下部冷気吐出孔１０６ｂとに区分される。前記冷気吐出孔１０６ａ、１０６ｂは蒸発器１０２との接触により生成された冷気を冷凍室１００に案内するために形成されたものである。
【００２４】
そして、本発明によると、冷凍室１００を開閉する冷凍室ドア１１０の内部には冷凍室の上下方向にわたってドアダクト１２０が形成されている。前記ドアダクト１２０はその入口１２２及び出口１２４で冷凍室１００の内部に連通されるよう設けられ、冷凍室１００の内部の冷気の循環経路の一部を構成することになる。
【００２５】
前記ドアダクト１２０の入口１２２は冷凍室１００の上部で、かつその出口１２４は冷凍室１００の下部で冷凍室１００に連通されて、冷気が循環できるように構成されている。本実施の形態において、前記ドアダクト１２０は冷凍室ドア１１０の内部に形成され、これを介して冷凍室１００の内部の冷気が循環できるようになっている。
【００２６】
前記冷凍室ドアダクト１２０の上部に位置する入口１２２は冷凍室ドア１１０の裏面の上部に設けられたドアバスケット１１２ａ付近の冷気の流れをなだらかにするためのもので、図示のように前記ドアバスケット１１２ａに隣接した部分に形成することが好ましい。図４に示すように、前記入口１２２は上部ドアバスケット１１２ａに最も隣接した部分に形成された多数の冷気通過孔１２２ａで構成される。
【００２７】
従って、前記入口１２２は、冷凍室１００の内部に供給された冷気が流入される時、ドアバスケット１１２を介して循環し得るようにすることにより、冷凍室１００のドアバスケット１１２の部分での冷気の流れをなだらかにする。そして、特に冷凍室の上部ドアバスケット１１２ａ付近の冷気の流れをなだらかにすることにより、上部ドアバスケット１１２ａ付近にも十分な冷気が供給されるようにする。
【００２８】
そして、前記ドアダクト１２０の出口１２４は冷凍室１１０の下端部に設置され、入口１２２を介して流入された冷気が後述する冷凍室帰還ダクト１３２に流入されるよう冷凍室帰還ダクト１３２の入口に対応する位置にある。即ち、前記出口１２４を介して流出される冷気は、できるだけバリヤ１３０の内部に形成されている冷凍室帰還ダクト１３２を介してすぐ蒸発器１０２側に帰還し得るようにすることが好ましい。
【００２９】
そして、冷凍室ドア１１０の裏面の下端部に下部ドアバスケット１１２ｂが設けられている点を考慮すると、図２に示すように、前記ドアダクト１２０の出口１２４は下部ドアバスケット１１２ｂに形成された連結ダクト１１２ｂｄを介して直接冷凍室帰還ダクト１３２に連結されるように構成することが可能であろう。
【００３０】
次には、図３及び図４を参照しながら前記冷凍室ドアダクト１２０の出口１２４と冷凍室帰還ダクト１３２の構成について説明する。
図４に示すように、本発明による冷凍室ドアダクト１２０の出口１２４ａ、１２４ｂは左右側に二分された一対で構成される。そして、前記出口１２４ａ、１２４ｂから出る冷気を蒸発器１０２側に帰還させるための冷凍室帰還ダクト１３２も前記一対の出口１２４ａ、１２４ｂに対応するよう一対で構成され、バリヤ１３０の内部両側に形成されている。図３で、前記一対の冷凍室帰還ダクト１３２の中間部に形成された図面符号１３６は冷蔵室帰還ダクトを意味する。
【００３１】
本実施の形態において、前記冷凍室ドアダクト１２０の入口１２２は冷凍室ドア１１０の上部ドアバスケット１１２ａに隣接した上部に形成され、出口１２４は下部ドアバスケット１１２ｂの下端部に形成されている。本実施の形態によると、冷凍室ドアダクト１２０の中間部分にも冷気の流れをなだらかにするため冷凍室１００と冷凍室ドアダクト１２０とを連通させる複数の冷気通過孔１２６が形成されている（図４参照）。
【００３２】
実質的に前記複数の冷気通過孔１２６は上部ドアバスケット１１２ａと下部ドアバスケット１１２ｂとの中間部に形成されるもので、これらにより冷凍室１１０側に隣接した部分の冷気循環をなだらかにするためのものである。即ち、上部ドアバスケット１１２ａと下部ドアバスケット１１２ｂ間の冷気が前記冷気通過孔１２６によりなだらかに循環されるようにすることにより、冷凍室１００のドアバスケット１１２の付近に十分な冷気を供給し得るように形成されるものである。
【００３３】
次に、以上のように構成される本発明の冷凍室冷気循環構造による冷気循環過程について説明する。
冷凍室１００の後方に位置する蒸発器１０２で熱交換された冷気は送風ファン１０４により冷凍室１００に供給される。前記送風ファン１０４により形成される冷気流はグリルファン１０６に形成された上部冷気吐出孔１０６ａと下部冷気吐出孔１０６ｂにより冷凍室棚１０９の上部及び下部に供給される。
【００３４】
先ず、上部の冷気吐出孔１０６ａを介して冷凍室棚１０９の上部に供給された冷気は前記棚１０９の上部で前方（ドア側）に移動しつつ保管中の食品との熱交換が進行される。このようにドア１１０側に移動する冷気は冷凍室ドア１１０に形成されたドアダクト１２０の入口１２２に流入される。この際に、前記ドアダクト１２０の入口１２２は冷凍室１００のドア側上端に形成されているため、冷凍室１００のドア側上端部でもなだらかな冷気の流れが形成できる。
【００３５】
このようにドア側上端部での冷気の流れがなだらかなことはこの部分にも十分な冷気が供給されることを意味する。これは、従来のものに比較して見る時、図７で点で示した冷気の停滞地域が解消されて冷凍室１００に全体的に均一に冷気を提供し得ることを意味する。
【００３６】
そして、下部の冷気吐出孔１０６ｂを介して冷凍室１００に供給される冷気は冷凍室１００の下部で冷凍室ドア１１０側に移動する。冷凍室１００の下部でドア側に移動する冷気は保管中の食品との熱交換を行いながら高温になり、このように高温になった冷気はバリヤ１３０に形成された冷凍室帰還ダクト１３２に流入される。
【００３７】
前記ドアダクト１２０の上部に形成された入口１２２に流入された冷気はドアダクト１２０に沿って下部に移動する。そして、冷凍室１００の中間部、つまり冷凍室棚１０９の付近で冷凍室１００の前方に移動しながら保管中の食品との熱交換を行った冷気は前記冷凍室ドアダクト１２０の中間部に形成された冷気通過孔１２６を介して前記ドアダクト１２０に流入される。
【００３８】
このような冷気の流れは図２に示されている。このように冷凍室ドアダクト１２０の内部を通過して下端部に移動した冷気は前記ドアダクト１２０の出口１２４を介して排出されるか、下部ドアバスケット１１２ｂに形成された連結ダクト１１２ｂｄを介して排出されることにより、バリヤ１３０に形成された冷凍室帰還ダクト１３２に流入できる。
【００３９】
以上述べたように、前記実施の形態によると、冷凍室１００の内部の冷気の流れはドアダクト１２０の内部を経由する冷気流を含む。即ち、冷凍室１００の上部に供給された冷気は冷凍室棚１０９の上部で前方に移動しながら熱交換を行い、このように熱交換された冷気は冷凍室ドア１１０に形成されたドアダクト１２０の入口１２２に流入される。ドアダクト１２０に流入された冷気はその内部に沿って下方に流れ、出口１２４を介して排出されると同時に直ぐ冷凍室帰還ダクト１３２に流入される。
【００４０】
そして、冷凍室１００の下端部に供給された冷気は冷凍室１００の下端部で前方に移動しながら熱交換を行った後、直接冷凍室帰還ダクト１３２に流入される。又、本発明によるドアダクト１２０の中間部には冷凍室１００に連通される冷気通過孔１２６が形成されているので、冷凍室１００の中間部の冷気も前記冷凍室ドアダクト１２０に流入される。
【００４１】
このように、本実施の形態による冷凍室の冷気流によると、冷凍室ドア１１０に隣接した部分ではドアダクト１２０の内部に流れる冷気流が形成される。従って、実質的に前記ドアバスケット１１２ａ、１１２ｂを介してドアダクト１２０に流入される冷気の流れが別に形成されるため、ドアバスケット１１２ａ、１１２ｂに隣接した地域、特に冷凍室の上端部の前方部のなだらかな冷気の流れを提供することができる。
【００４２】
次に、再度図１を参照しながら本発明による冷蔵室２００の冷気の流れについて説明する。
本発明による冷蔵室２００には、冷蔵室に冷気を供給するための冷蔵室ダクト２０２と、前記冷蔵室ダクト２０２から供給された冷気を冷蔵室帰還ダクト１３６に案内するため、冷蔵室ドア２１０の内部に形成された冷蔵室ドアダクト２２０とが備えられる。
【００４３】
前記冷蔵室ダクト２０２はグリルファン１０６とシュラウド１０８との間に形成された空間に連結され、蒸発器１０２で熱交換された冷気を冷蔵室に案内する部分である。前記冷蔵室ダクト２０２により案内された冷気は、その全面に形成された多数の冷気吐出孔２０２ａ、２０２ｂ、２０２ｃを介して冷蔵室２００に供給される。
【００４４】
前記冷蔵室の冷気吐出孔２０２ａ、２０２ｂ、２０２ｃは冷蔵室２００の内部に設けられる多数の冷蔵室棚２０４ａ、２０４ｂ間に形成されて、冷蔵室２００に供給される冷気が全体的に供給されるようにする。
そして、本発明による冷蔵室ドアダクト２２０は、図示のように、冷蔵室ドア２１０の内部に形成されるもので、冷蔵室２００の内部を循環した冷気が上部に移動して冷蔵室帰還ダクト１３６に帰還させるためのものである。
【００４５】
前記冷蔵室ドアダクト２２０は、図示のように、冷蔵室ドア２１０の上下にわたって長手方向に設けられ、下部には冷蔵室の内部を循環した冷気が吸入される複数の吸入口２２２ａ、２２２ｂ、２２２ｃが形成されている。前記吸入口２２２を介して吸入される冷気は上部に移動し出口２２４を介して排出される。前記出口２２４はバリヤ１３０に形成された冷蔵室帰還ダクト１３６に隣接した部分に形成されているので、出口２２４を出た冷気が冷蔵室帰還ダクト１３６に流入されるように構成されている。
【００４６】
そして、前記冷蔵室ドア２１０の裏面には食品を保管する複数の冷蔵室ドアバスケット２１２ａ、２１２ｂ、２１２ｃが設けられている。実質的に複数の冷気吸入口２２２ａ、２２２ｂ、２２２ｃは前記ドアバスケット２１２ａ、２１２ｂ、２１２ｃに隣接した部分に形成されることが最も好ましい。このように冷気吸入口２２２を各々のドアバスケットに隣接した部分に形成することにより、冷蔵室２００を循環した冷気が吸入口２２２に流入される場合、冷気がドアバスケット２１２ａ、２１２ｂ、２１２ｃを経由しながらこれに保管中の食品と十分に接触するようにするものである。
【００４７】
次に、以上のように構成される本発明による冷蔵室２００の冷気循環について説明する。
蒸発器１０２で熱交換されて生成された冷気はシュラウド１０８とグリルファン１０６との間に形成された空間に連結される冷蔵室ダクト２０２に案内される。前記冷蔵室ダクト２０２に案内された冷気はその全面に形成された多数の冷気吐出孔２０２ａ、２０２ｂ、２０２ｃを介して冷蔵室２００の内部に供給される。
【００４８】
冷蔵室２００の内部に供給された冷気は冷蔵室ドア２１０側に移動しながら内部に保管中の食品との熱交換を行って相対的に高温になる。このように高温になった冷気は冷蔵室ドア２１０側に移動し、冷蔵室のドアバスケット２１２ａ、２１２ｂ、２１２ｃの付近に案内される。このようにドアバスケット２１２ａ、２１２ｂ、２１２ｃ側に移動した冷気は前記ドアバスケット付近にそれぞれ形成された吸入口２２２に流入される。
【００４９】
この際に、前記吸入口２２２に流入される冷気は実質的にドアバスケット２１２ａ、２１２ｂ、２１２ｃを経由しつつドアバスケットに保管中の食品と十分に接触される。又、前記吸入口２２２に冷気が吸入されることにより、冷蔵室２００の内部の後方よりドアバスケットを経由する全体的な冷気の流れが形成できるので、冷蔵室ドア２１０に隣接した部分にも十分な冷気が供給できる。
【００５０】
このように前記冷蔵室ドアダクト２２０の内部に案内された冷気は冷蔵室ドアダクト２２０の内部に沿って上部に移動し、この際に、実質的に前記冷蔵室ドアダクト２２０の内部に沿って移動する冷気は冷蔵室２００の内部の下部及び中間部に形成された吸入口２２２ａ、２２２ｂ、２２２ｃを介して入る冷気である。そして、前記吸気口２２２を介して流入された冷気は前記冷蔵室ドアダクト２２０に沿って上部に移動し、前記冷蔵室ドアダクト２２０の最上部に位置する出口２２４を介して排出される。
【００５１】
この際に、前記出口２２４は実質的にバリヤ１３０に形成された冷蔵室帰還ダクト１３６の入口に対応する部分に設けられるため、前記出口２２４を介して排出された冷気は前記冷蔵室帰還ダクト１３６に直接吸入されて蒸発器１０２側に帰還される。このような循環過程を経る冷気は再度蒸発器１０２との接触により冷たい空気に生成され前記過程を繰返す。勿論、この際に、冷蔵室２００の上部に供給された冷気の一部は前記冷蔵室ドアダクト２２０を経由せずに直接冷蔵室帰還ダクト１３６に供給することができる。
【００５２】
以上のように構成される本発明による冷蔵室の冷気循環構造によると、冷蔵室ダクト２０２を介して冷蔵室２００に供給された冷気は冷蔵室ドア２１０の内部に形成された冷蔵室ドアダクト２２０に沿って上部に移動し冷蔵室帰還ダクト１３６に帰還するように構成されていることが分かる。この際に、前記冷蔵室ドアダクト２２０を介して帰還される冷気は実質的に冷蔵室ドア２１０の裏面に設けられた冷蔵室ドアバスケット２１２ａ、２１２ｂ、２１２ｃを経由してドアダクト２２０に入るようになっている。
【００５３】
従って、実質的に冷蔵室２００の内部には前記ドアバスケット２１２ａ、２１２ｂ、２１２ｃ部分を経由する冷気の流れがなだらかに形成されるため、冷蔵室のドアバスケット部分に十分な冷気流が提供され、さらにこのような冷気循環構造により冷蔵室２００の全体に均一な冷気の供給が可能になる。
【００５４】
次に、図５及び図６を参照しながら本発明の他の実施の形態について説明する。本実施の形態は本発明による冷気循環構造を冷凍室ドアにより具現するもので、既存の冷凍室ドアの構造を大きく変更することなく本発明の技術的思想を具現し得るように構成するものである。
即ち、本実施の形態は図１乃至図４に示した実施の形態の如くドアダクトの冷凍室ドアの内部に設けるのではなく、冷凍室ドアの裏面に設けることにより、多くの構造変更なしに本発明を実施し得るように構成する。
【００５５】
図５及び図６を参照しながら本実施の形態の構成を説明するが、先の実施の形態と同一構成部分に対しては同一符号を使用して説明する。
本実施の形態によると、冷凍室ドア１１０の裏面に本発明による付着型ドアダクト１５０を付着して、ドアバスケット１１２ａ、１１２ｂの後方を経由する冷気流を形成する。
【００５６】
本実施の形態による付着型ドアダクト１５０は、図６に示すように、別の射出成形物で形成されるもので、その上端部に入口１５２が、下端部には出口１５４が形成されている。
このような付着型ドアダクト１５０は、その中間部に形成された締結孔１６２に固定ボルトのような固定部材１６０を挿入し冷凍室１１０の裏面に締結することにより冷凍室に付着される。勿論、このような付着型ドアダクトの付着例はただ例示的なものである。
【００５７】
本実施の形態による付着型ドアダクト１５０の入口１５２は付着型ドアダクト１５０の上端部、つまり冷凍室１００のドア側上端部に形成されることにより、この部分（従来の冷気停滞地域）でのなだらかな冷気の流れを形成することになる。そして、ドアダクト１５０の出口１５４はバリヤ１３０に形成された冷凍室帰還ダクト１３２の入口付近に形成されている。本実施の形態による付着型ドアダクト１５０も冷凍室１００のドアバスケット１１２側に向かう冷気の流れ、特に冷凍室１００の前方上部の流れをなだらかにするためのものである。
【００５８】
次に、本実施の形態による冷気の流れについて説明する。蒸発器１０２との接触により生成された冷気は送風ファン１０４により冷凍室１００に供給される。冷凍室１００の後面を構成するグリルファン１０６に形成された冷気吐出孔１０６ａ、１０６ｂを介して冷凍室１００に供給された冷気は矢印で示すように前方に移動する。このように冷気が移動しながら冷凍室１００の内部の保管中の食品との熱交換を行う。
【００５９】
この際に、上部冷気吐出孔１０６ａを介して供給された冷凍室１００の上部の冷気（つまり、棚１０９の上部の冷気）は矢印で示すように本実施の形態による付着型ドアダクト１５０の入口１５２に流入される。
このように付着型ドアダクト１５０に流入される冷気以外の冷気はドアバスケット１１２ａ、１１２ｂの底面に形成された通気孔１１２ａｈ、１１２ｂｈを経由しながら下方に案内される。付着型ドアダクト１５０に流入された冷気は下端部に形成された出口１５４を介して排出され、このように排出される冷気は冷凍室帰還ダクト１３２に流入される。
【００６０】
冷凍室の下部冷気吐出孔１０６ｂを介して供給された冷気、つまり冷凍室１００の下部の冷気はドア側に前進しながら保管中の食品と熱交換を行う。そして、ドア側に移動された冷気はバリヤ１３０の前方に入口が形成された冷凍室帰還ダクト１３２に流入されてから再度蒸発器１０２側に移動し、ここでより低温の冷気に生成されて前記過程を繰返すことになる。
【００６１】
本実施の形態においても、前述したように冷凍室１００の内部にドアバスケット１１２ａ、１１２ｂを経由する冷気流が形成されていることが分かる。特に、冷凍室１００の前方上部にドアダクト１５０の入口が形成されているため、特にこの部分での冷気の循環がなだらかになって全体的に均一な温度分布が形成できる。
本実施の形態による付着型ドアダクト１５０は別の射出成形物等で構成することが可能であるが、単に従来の冷凍室ドア１１０の裏面に付着することにより簡単に実施することも可能である。
【００６２】
【発明の効果】
以上説明したように、本発明によると次のような利点が期待される。
先ず、本発明によると、冷凍室又は冷蔵室のドア側に隣接した部分でもなだらかな冷気の流れが形成されることが分かる。即ち、各ドアの裏面に設けられているドアバスケットを経由する冷気の流れを形成して、特にドアに隣接した部分に冷気流の停滞が生じないようにして、冷凍室又は冷蔵室全体的になだらかな冷気流を提供し、よって均等に冷気を供給することができる。
【００６３】
特に、冷凍室において、ドア側上端部での冷気を冷凍室ドアダクトを介して下方に循環させる経路を形成することにより、ドア側上部の冷気の流れをなだらかにする。
そして、このように冷凍室及び冷蔵室ドアバスケットを経由する冷気流を形成することにより、特にドアに隣接した部分の冷気の流れがなだらかになる。従って、頻繁なドアの開閉により高温の外気流入により温度が上昇し易いドア側付近にも冷気を充分に供給し得るので、より新鮮に食品を保管し得ることになる。
【図面の簡単な説明】
【図１】本発明による冷蔵庫の冷気循環構造を示す冷蔵庫の断面図である。
【図２】図１の部分拡大断面図である。
【図３】図１のＡ−Ａ線についての断面図である。
【図４】本発明による冷凍室ドアの裏面を示す例示図である。
【図５】本発明の他の実施の形態による付着型ドアダクトが冷凍室に付着された状態を示す断面図である。
【図６】図５の付着型ドアダクトの斜視図である。
【図７】従来の冷蔵庫の構造及び冷気循環構造を示す冷蔵庫の断面図である。
【符号の説明】
４ａ、４ｂ…内部ケーシング
６…蒸発器
８…送風ファン
９…シュラウド
１０…冷凍室
１２…冷凍室ドア
１４…ドアバスケット
１６、２６…棚
１８…グリルファン
１８ａ…冷気吐出孔
１９…冷凍室帰還ダクト
２０…冷蔵室
２２…冷蔵室ドア
２４…ドアバスケット
２８ａ…冷気吐出孔
２９…冷蔵室帰還ダクト
３０…バリヤ
１００…冷凍室
１０２…蒸発器
１０４…送風ファン
１０６…グリルファン
１０６ａ、１０６ｂ…冷気吐出孔
１０８…シュラウド
１０９…冷凍室棚
１１０…冷凍室ドア
１１２ａ、１１２ｂ…冷凍室ドアバスケット
１２０…冷凍室ドアダクト
１２２…冷凍室ドアダクトの入口
１２４…冷凍室ドアダクトの出口
１２６…冷気通過孔
１３０…バリヤ
１３２…冷凍室帰還ダクト
１３６…冷蔵室帰還ダクト
１５０…付着型ドアダクト
１５２…付着型ドアダクトの入口
１５４…付着型ドアダクト
１６０…固定部材
１６２…締結孔
２００…冷蔵室
２０２ａ、２０２ｂ、２０２ｃ…冷蔵室ダクトの冷気吐出孔
２０４ａ、２０４ｂ…冷蔵室棚
２１２ａ、２１２ｂ、２１２ｃ…冷蔵室ドアバスケット
２１０…冷蔵室ドア
２２０…冷蔵室ドアダクト
２２２ａ、２２２ｂ、２２２ｃ…冷蔵室ドアダクトの吸入口
２２４…冷蔵室ドアダクトの出口
【図１】
0004008555.tif 000002
【図２】
0004008555.tif 000003
【図３】
0004008555.tif 000004
【図４】
0004008555.tif 000005
【図５】
0004008555.tif 000006
【図６】
0004008555.tif 000007
【図７】
0004008555.tif 000008